(57)【要約】【課題】光伝送ネットワークシステムにおいて、光信号の伝送ルートの設定状態の正確な情報を取得することができる光伝送装置を提供する。【解決手段】光伝送装置を、受信手段１と、識別情報検出手段２と、出力手段３を備える構成とする。受信手段１は、光分岐挿入装置を介して、伝送路上の波長多重信号から分岐された光信号を受信する。識別情報検出手段２は、送信局および波長帯域ごとにあらかじめ設定されている識別情報を光信号から検出する。出力手段３は、複数の光伝送装置がそれぞれ受信する光信号からそれぞれ検出した識別情報を基に、複数のルートの候補のうち光信号のルートがいずれかであるかを光信号のルートを判断する装置に、自装置が検出した識別情報を出力する。【選択図】      図１
2019004336.tif 000002
【特許請求の範囲】
【請求項１】
光分岐挿入装置を介して、伝送路上の波長多重信号から分岐された光信号を受信する受信手段と、
送信局および波長帯域ごとにあらかじめ設定されている識別情報を前記光信号から検出する識別情報検出手段と、
複数の光伝送装置がそれぞれ受信する前記光信号からそれぞれ検出した前記識別情報を基に、複数のルートの候補のうち前記光信号のルートがいずれかであるかを判断する装置に、自装置が検出した前記識別情報を出力する出力手段と
を備えることを特徴とする光伝送装置。
【請求項２】
前記伝送路を伝送する第２の光信号を生成する光信号生成手段と、
前記第２の光信号の波長帯域および自装置の識別情報に対応する識別信号を生成する識別信号生成手段と、
前記第２の光信号と、前記識別信号とを前記光分岐挿入装置を介して前記伝送路に送信する送信手段と
をさらに備えることを特徴とする請求項１に記載の光伝送装置。
【請求項３】
前記出力手段は、前記識別情報検出手段が監視帯域として設定されている波長帯域に対応する前記識別情報を検出できなかったときに、前記識別情報を検出できなかったことを示す情報を出力することを特徴とする請求項１または２に記載の光伝送装置。
【請求項４】
前記識別情報は、光パワーの補償用のダミー光を変調することで伝送されていることを特徴とする請求項１から３いずれかに記載の光伝送装置。
【請求項５】
前記識別情報は、主信号に変調を施す際の周波数よりも低い周波の変調を前記光信号に施すことで伝送されていることを特徴とする請求項１から３いずれかに記載の光伝送装置。
【請求項６】
伝送路上の波長多重信号から分岐された光信号を受信する複数の光伝送装置から、前記光伝送装置がそれぞれ検出した前記光信号の送信元を示す識別情報を取得する識別情報取得手段と、
ネットワークの構成から想定される前記光信号のルートと、前記光信号が前記ルートに沿って伝送された際にそれぞれの前記光伝送装置において受信する前記識別信号の情報とを波長帯域ごとに関連づけた情報を接続性情報として記憶する接続性情報記憶手段と、
複数の前記光伝送装置がそれぞれ検出した前記識別情報と、前記接続性情報記憶手段に記憶している前記接続性情報とを比較し、前記光信号のルートを判断する経路判断手段と
を備えることを特徴とする光伝送ルート識別装置。
【請求項７】
伝送路を伝送する光信号を生成する光信号生成手段と、波長帯域ごとにあらかじめ設定された自装置の識別情報に対応する識別信号を生成する識別信号生成手段と、前記光信号と、前記識別信号とを光分岐挿入装置を介して前記伝送路に送信する送信手段とを備える第１の光伝送装置と、
請求項１から５いずれかに記載の光伝送装置からなる複数の第２の光伝送装置と、
請求項６に記載の光伝送ルート識別装置と
を備え、
前記光伝送ルート識別装置は、複数の前記第２の光伝送装置がそれぞれ受信した前記識別情報を取得し、取得した前記識別情報と前記接続性情報とを比較して前記光信号のルートを判断することを特徴とする光伝送ネットワークシステム。
【請求項８】
光分岐挿入装置を介して、伝送路上の波長多重信号から分岐された光信号を受信し、
送信局および波長帯域ごとにあらかじめ設定されている識別情報を前記光信号から検出し、
複数の光伝送装置がそれぞれ受信する前記光信号からそれぞれ検出した前記識別情報を基に、複数のルートの候補のうち前記光信号のルートがいずれかであるかを判断する装置に、自装置が検出した前記識別情報を出力することを特徴とする光伝送ルート識別方法。
【請求項９】
前記伝送路を伝送する光信号を生成し、
波長帯域ごとにあらかじめ設定された自装置の識別情報を基に識別信号を生成し、
前記光信号と前記識別信号とを前記光分岐挿入装置を介して前記伝送路に送信することを特徴とする請求項８に記載の光伝送ルート識別方法。
【請求項１０】
ネットワークの構成から想定される前記光信号のルートと、前記光信号が前記ルートに沿って伝送された際にそれぞれの前記光伝送装置において受信する前記識別信号の情報とを波長帯域ごとに関連づけた情報を接続性情報として記憶し、
伝送路上の波長多重信号から分岐された光信号を受信する複数の光伝送装置から、前記光伝送装置がそれぞれ検出した前記光信号の送信元を示す識別情報を取得し、
複数の前記光伝送装置がそれぞれ検出した前記識別情報と、記憶している情報とを比較し、前記光信号のルートを判断することを特徴とする請求項８または９に記載の光伝送ルート識別方法。
【発明の詳細な説明】
【技術分野】
【０００１】
本発明は、波長多重信号の伝送技術に関するものであり、特に、波長帯域ごとの光信号のパスの設定状態を特定する技術に関するものである。
【背景技術】
【０００２】
通信トラフィックの増加に伴い、光伝送ネットワークシステムには、回線の広帯域化やネットワークの高機能化が求められている。その方策の一つとして、ＯＡＤＭ（Optical Add-Drop Multiplexer）や、ＲＯＡＤＭ（Reconfigurable Optical Add-Drop Multiplexer）などの技術が光伝送ネットワークシステムに適用されている。
【０００３】
海底ケーブルシステムにおけるＲＯＡＤＭシステムでは、クライアント信号を光伝送装置で波長多重光信号として海底ケーブルに入力し、１つの光ファイバに複数のパスを収容することによってネットワークの柔軟性を向上させている。また、そのような海底ケーブルシステムは、深海に設置されることも多く、一度、敷設されると故障等への対応が困難である。そのため、海底ケーブルシステムを構成する各装置には、高い信頼性が要求される。高い信頼性を維持するためには、海底ケーブルシステムの各光伝送装置や管理用のネットワークの構成はできるだけ簡素な構成であることが望ましい。
【０００４】
ＲＯＡＤＭシステムのパス設定は、各ＲＯＡＤＭ装置に対して通信管理システム等から命令を発行することにより、波長に割り当てたパスをリモートから任意に変更することで行うことができる。そのような構成のＲＯＡＤＭシステムにおいて安定した通信を行うためには、パスの設定状態を正確に認識してパスの設定を適切に制御する必要がある。そのため、海底ケーブルシステム等のＲＯＡＤＭシステムにおいて、外部からパスの設定状態を把握する技術の開発が行われている。そのような、ＲＯＡＤＭシステムにおいて、外部からパスの設定状態を把握する技術としては、例えば、特許文献１のような技術が開示されている。
【０００５】
特許文献１は、波長多重信号の送受信を行う光伝送装置と、ＲＯＡＤＭ装置および光クロスコネクト装置を備えるネットワークにおいて波長帯域の使用状況を認識する技術に関するものである。特許文献１の各光伝送装置は、光信号の送受信を行う光ファイバの識別情報、送受信する光信号の波長および自装置の識別情報を関連づけた情報を生成する。特許文献１の各光伝送装置は、ＯＳＣ（Optical Supervisory Channel）を介して隣接装置間での情報の伝達を順に行うことでネットワーク全体での波長の使用状況の情報を生成している。
【０００６】
また、特許文献２には、光クロスコネクト装置間の接続可能性を記述した接続性管理表と、中継経路管理表によってネットワークにおける光信号のパスの情報を取得する技術が開示されている。特許文献２では、領域内の接続関係を示す接続性管理表と、領域間とエッジとなる光伝送装置との接続関係を示す中継経路管理表が設定されている。特許文献２は、接続性管理表と中継経路管理表を基に設定可能なパスの情報を取得することができるとしている。
【先行技術文献】
【特許文献】
【０００７】
【特許文献１】特許第５７９３９５５号公報
【特許文献２】特許第４４９１９９８号公報
【発明の概要】
【発明が解決しようとする課題】
【０００８】
しかしながら、特許文献１の技術は次のような点で十分ではない。特許文献１のネットワークシステムでは、各光伝送装置が隣接装置間で情報の伝達を行うことで、ネットワーク全体の波長の使用状況を把握している。そのため、ネットワークを構成する全ての光伝送装置の情報が付加されるまで情報の伝達を繰り返す必要があるため、ネットワークを構成する構成する装置の数や分岐装置が増えるとともに、情報の取得やパスの設定状態の特定が困難になる。また、特許文献２の技術では、伝送ルートの候補の情報を得ることはできるが、実際に光信号の伝送ルートとして設定されている伝送ルートの情報を得ることはできない。そのため、特許文献１および２の技術は、光伝送ネットワークシステムにおいて、光信号のパス設定状態を正確に認識する技術としては十分ではない。
【０００９】
本発明は、上記の課題を解決するため、光伝送ネットワークシステムにおいて、光信号の伝送ルートの正確な情報を取得することができる光伝送装置を提供することを目的としている。
【課題を解決するための手段】
【００１０】
上記の課題を解決するため、本発明の光伝送装置は、受信手段と、識別情報検出手段と、出力手段を備えている。受信手段は、光分岐挿入装置を介して、伝送路上の波長多重信号から分岐された光信号を受信する。識別情報検出手段は、送信局および波長帯域ごとにあらかじめ設定されている識別情報を光信号から検出する。出力手段は、複数の光伝送装置がそれぞれ受信する光信号からそれぞれ検出した識別情報を、複数のルートの候補のうち光信号のルートがいずれかであるかを判断する装置に、自装置が検出した識別情報を出力する。
【００１１】
本発明の光伝送ルート識別方法は、光分岐挿入装置を介して、伝送路上の波長多重信号から分岐された光信号を受信する。本発明の光伝送ルート識別方法は、送信局および波長帯域ごとにあらかじめ設定されている識別情報を光信号から検出する。本発明光伝送のルート識別方法は、複数の光伝送装置がそれぞれ受信する光信号からそれぞれ検出した識別情報を基、複数のルートの候補のうち光信号のルートがいずれかであるかを判断する装置に、自装置が検出した識別情報を出力する。
【発明の効果】
【００１２】
本発明によると、光伝送ネットワークシステムにおいて、光信号の伝送ルートの設定状態の正確な情報を取得することができる。
【図面の簡単な説明】
【００１３】
【図１】本発明の第１の実施形態の構成の概要を示す図である。
【図２】本発明の第２の実施形態の構成の概要を示す図である。
【図３】本発明の第２の実施形態の光伝送ルート識別装置の構成を示す図である。
【図４】本発明の第２の実施形態の接続性情報の構成の例を示す図である。
【図５】本発明の第２の実施形態において、想定される光伝送ルートを模式的に示した図である。
【図６】本発明の第２の実施形態の接続性管理表の構成の例を示す図である。
【図７】本発明の第２の実施形態の接続性管理表の構成の例を示す図である。
【発明を実施するための形態】
【００１４】
（第１の実施形態）
本発明の第１の実施形態について図を参照して詳細に説明する。図１は、本実施形態の光伝送装置の構成の概要を示したものである。本実施形態の光伝送装置は、受信手段１と、識別情報検出手段２と、出力手段３を備えている。受信手段１は、光分岐挿入装置を介して、伝送路上の波長多重信号から分岐された光信号を受信する。識別情報検出手段２は、送信局および波長帯域ごとにあらかじめ設定されている識別情報を光信号から検出する。出力手段３は、複数の光伝送装置がそれぞれ受信する光信号からそれぞれ検出した識別情報を基、複数のルートの候補のうち光信号のルートがいずれかであるかを判断する装置に、自装置が検出した識別情報を出力する。
【００１５】
本実施形態の光伝送装置は、識別情報検出手段２において、受信手段１が受信した光信号から送信局および波長帯域ごとにあらかじめ設定されている識別情報を検出している。また、出力手段３は、複数の光伝送装置が受信した光信号からそれぞれ検出した識別情報を基に、複数のルートの候補のうち光信号のルートがいずれかであるかを判断する装置に、自装置が検出した識別情報を出力している。このように、複数の光伝送装置がそれぞれ取得した送信局および波長帯域ごとにあらかじめ設定されている識別情報を１つの装置が取得することで、波長帯域ごとの光信号が通過する光伝送装置を判断することができる。そのため、複数の光伝送装置から識別情報を取得した装置は、光信号の伝送ルートを識別することができる。その結果、本実施形態の光伝送装置を用いることで、光伝送ネットワークシステムにおける光信号の伝送ルートの設定状態の正確な情報を取得することが可能になる。
【００１６】
（第２の実施形態）
本発明の第２の実施形態について図を参照して詳細に説明する。図２は、本実施形態の光伝送ネットワークシステムの構成の概要を示したものである。本実施形態の光伝送ネットワークシステムは、通信管理システム等から光信号のパス設定の変更を制御することが可能なＲＯＡＤＭ（Reconfigurable Optical Add-Drop Multiplexer）システムとして構成されている。また、本実施形態の光伝送ネットワークシステムは、海底ケーブルシステムとして構成されている。
【００１７】
本実施形態の光伝送ネットワークシステムは、光送信装置１１と、光受信装置１２と、第１の光送受信装置１３と、第２の光送受信装置１４を備えている。本実施形態の光伝送ネットワークシステムは、また、第１のＯＡＤＭ（Optical Add Drop Multiplexer）装置１５と、第２のＯＡＤＭ装置１６と、光伝送ルート識別装置１７をさらに備えている。
【００１８】
光送信装置１１と、第１のＯＡＤＭ装置１５と、第２のＯＡＤＭ装置１６と、光受信装置１２は、伝送路１０１を介して接続されている。本実施形態の光伝送ネットワークシステムは、光送信装置１１から光受信装置１２の方向に波長多重信号が伝送される。また、第１のＯＡＤＭ装置１５と、第１の光送受信装置１３は、伝送路１０２を介して接続されている。また、第２のＯＡＤＭ装置１６と、第２の光送受信装置１４は、伝送路１０３を介して接続されている。伝送路１０２および伝送路１０３は、双方向への波長多重信号の伝送が可能になるように、それぞれの方向に対応する光ファイバケーブルによって構成されている。また、光送信装置１１、光受信装置１２、第１の光送受信装置１３および第２の光送受信装置１４は、それぞれ光伝送ルート識別装置１７と伝送ネットワーク２０１を介して接続されている。伝送ネットワーク２０１は、伝送路１０１、伝送路１０２および伝送路１０３とは別の通信ネットワークを用いて構成されている。
【００１９】
光送信装置１１、光受信装置１２、第１の光送受信装置１３および第２の光送受信装置１４は、海底ケーブルシステムにおけるケーブル陸揚げ局に設置されている。本実施形態では、光送信装置１１がケーブル陸揚げ局Ａ、光受信装置１２がケーブル陸揚げ局Ｂ、第１の光送受信装置１３がケーブル陸揚げ局Ｃ、第２の光送受信装置１４がケーブル陸揚げ局Ｄに設置されていとする。また、第１のＯＡＤＭ装置１５および第２のＯＡＤＭ装置１６は、それぞれ海底装置として設置されている。
【００２０】
本実施形態の光伝送ネットワークシステムの各装置の構成について説明する。
【００２１】
光送信装置１１は、クライアント信号を基に生成した光信号を送信する光伝送装置である。光送信装置１１は、光信号送信部２１と、パターン生成部２２を備えている。
【００２２】
光信号送信部２１は、入力されたクライアント信号を基に割り当てられた波長帯域の光信号を生成して出力する。光信号の波長帯域の設定情報は、例えば、伝送ネットワーク２０１を介して通信管理システム等から取得される。光信号送信部２１は、複数のクライアント信号それぞれを基に生成した光信号の波長多重化した波長多重信号を伝送路１０１に出力する。
【００２３】
パターン生成部２２は、ＯＡＤＭ装置においてＡｄｄ−Ｄｒｏｐされる波長帯域ごとに、波長帯域の送信局を一意に識別可能とする識別情報を付加する。パターン生成部２２は、例えば、光信号の光パワーを補償するために生成するダミー光を利用して、あらかじめ設定された波長におけるダミー光の有無によるパターンを識別情報とする。また、パターン生成部２２は、０と１が配列された電気信号を、ダミー光の波長領域において光信号に変換したダミーパターンを出力してもよい。また、パターン生成部２２は、光信号に低周波の変調を施すことで識別情報を主信号の光信号に重畳してもよい。低周波の変調とは、データの伝送用の光信号の検波や復号等の処理に影響を与えない周波数領域で、主信号の変調の周期に比べ低周波の変調のことをいう。
【００２４】
光受信装置１２は、波長多重信号を、伝送路１０１を介して受信し、各波長帯域の信号の復号処理等を行って出力する光伝送装置である。光受信装置１２は、光信号受信部３１と、パターン検出部３２を備えている。
【００２５】
光信号受信部３１は、波長多重信号を分波する分波素子、各波長帯域の光を電気信号に変換する光電変換素子および各波長帯域の受信信号の補償や復号等を行う信号処理回路等を備えている。光信号受信部３１は、各波長帯域の受信信号から復号したそれぞれの信号をクライアント信号として出力する。
【００２６】
パターン検出部３２は、送信側のパターン生成部が識別情報として付加した識別信号のパターンを検出する。パターン検出部３２は、検出したパターンの情報を光伝送ルート識別装置１７に伝送ネットワーク２０１を介して送る。また、パターン検出部３２は、送信側のパターン生成部が識別情報を光信号に付加する方式に対応するように構成されている。例えば、ダミー光の波長領域で識別情報が伝送される場合には、パターン検出部３２は、ダミー光の波長領域の光を検出し、検出した光のパターンを識別する構成を有する。また、パターン検出部３２は、監視対象の波長帯域において識別情報に基づく信号を検出できなかったとき、光伝送ルート識別装置１７に識別情報を検出できなかったことを示す情報を送信してもよい。識別情報を検出できなかったことを示す情報を送信することで、光伝送ルート識別装置１７は、光信号の伝送ルートの判断をより正確に行うことができる。
【００２７】
第１の光送受信装置１３および第２の光送受信装置１４は、ＯＡＤＭ装置において伝送路１０１上の波長多重信号にＡｄｄする光信号の出力およびＯＡＤＭ装置において伝送路１０１上の波長多重信号からＤｒｏｐされた光信号の受信を行う光伝送装置である。第１の光送受信装置１３および第２の光送受信装置１４は、光信号送受信部４１と、パターン生成部４２と、パターン検出部４３をそれぞれ備えている。
【００２８】
光信号送受信部４１は、入力されたクライアント信号を光信号に変換し、伝送路１０２または伝送路１０３に出力する。また、光信号送受信部４１は、伝送路１０２または伝送路１０３を介して受信する光信号の復号等を行い、クライアント信号として出力する。光信号受信部３１および光信号送受信部４１のうち光信号を受信する機能は、第１の実施形態の受信手段１に相当する。
【００２９】
パターン生成部４２の構成と機能は、光送信装置１１のパターン生成部２２と同様である。パターン生成部４２は、ＯＡＤＭ装置において波長多重信号にＡｄｄする光信号の送信元として波長帯域ごとに設定された識別情報に基づく信号光を生成し、Ａｄｄする光信号とともに伝送路１０２または伝送路１０３に出力する。
【００３０】
また、パターン検出部４３の構成と機能は、光受信装置１２のパターン検出部３２と同様である。パターン検出部４３は、ＯＡＤＭ装置において波長多重信号からＤｒｏｐされた光信号の送信元の識別情報を示すパターンを検出し、検出した波長帯域ごとの識別情報を光伝送ルート識別装置１７に伝送ネットワーク２０１を介して送信する。また、本実施形態のパターン検出部３２およびパターン検出部４３の機能のうち識別情報を検出する機能は、第１の実施形態の識別情報検出手段２に相当する。また、本実施形態のパターン検出部３２およびパターン検出部４３の機能のうち検出した識別情報を光伝送ルート識別装置１７に伝送ネットワーク２０１を介して出力する機能は、第１の実施形態の出力手段３に相当する。
【００３１】
第１のＯＡＤＭ装置１５および第２のＯＡＤＭ装置１６は、伝送路１０１を介して伝送される波長多重信号への光信号のＡｄｄおよび伝送路１０１を介して伝送される波長多重信号からの光信号のＤｒｏｐを行う機能を有する。第１のＯＡＤＭ装置１５および第２のＯＡＤＭ装置１６は、ＲＯＡＤＭシステムに対応した光分岐挿入装置である。光信号の送信元を示す識別情報に基づく信号光が、ダミー信号用の波長帯域に設定されているとき、第１のＯＡＤＭ装置１５および第２のＯＡＤＭ装置１６は、ダミー信号用の波長帯域の光についてもデータ伝送用の光信号と同様にＡｄｄまたはＤｒｏｐする。
【００３２】
光伝送ルート識別装置１７の構成について説明する。図３は、本実施形態の光伝送ルート識別装置１７の構成を示したものである。光伝送ルート識別装置１７は、通信部５１と、ルート識別部５２と、接続性情報記憶部５３を備えている。光伝送ルート識別装置１７は、各波長帯域の光信号のパス、すなわち、各波長帯域の光信号の伝送ルートを判断する機能を有する。
【００３３】
通信部５１は、光送信装置１１、光受信装置１２、第１の光送受信装置１３および第２の光送受信装置１４と伝送ネットワーク２０１を介して通信を行う。通信部５１は、光受信装置１２、第１の光送受信装置１３および第２の光送受信装置１４から受信信号の送信元の識別情報を受け取ると、受け取った識別情報をルート識別部５２に送る。
【００３４】
ルート識別部５２は、光信号の送信元の識別情報と、接続性管理票を比較し、波長帯域ごとの光信号のパス、すなわち、光信号の伝送ルートを識別する。ルート識別部５２は、接続性情報記憶部５４に保存されている接続性管理表を参照して光信号のパスを特定する。
【００３５】
接続性管理表は、各ケーブル陸揚げ局の光伝送装置間の接続可能性の情報を接続性情報として示した情報である。接続可能性は、ネットワークの構成から想定されるパス、すなわち、光信号の伝送ルートの候補を示したものである。図４は、接続性管理表の例を示したものである。接続性管理表は、光信号の伝送ルートごとに通過するケーブル陸揚げ局の情報と、各ケーブル陸揚げ局で受信される光信号の送信元を示すパターン信号の情報によって構成されている。接続性管理表は、光伝送ネットワークシステムで伝送される光信号の波長帯域ごとに設定されている。接続性管理表は、光伝送ルートごとに各局で受信される光信号の送信元を示すパターン信号をマトリクス表としてまとめた情報によって構成されている。
【００３６】
ルート識別部５２は、各ケーブル陸揚げ局で実際に受信した識別情報の信号パターンと、接続性管理表を比較し、波長帯域ごとの伝送ルートを判断する。このような方法で波長帯域ごとの伝送ルートを判断することで、光伝送ルート識別装置１７は、各ＯＡＤＭ装置におけるＡｄｄ−Ｄｒｏｐされている光信号の波長帯域の情報を取得することができる。
【００３７】
各ケーブル陸揚げ局における受信(Ｄｒｏｐ)される光信号のパターン信号の検出は、例えば、光伝送ルートの識別が必要なタイミングで光伝送ルート識別装置１７からの指示によって実施される。また、各ケーブル陸揚げ局における受信(Ｄｒｏｐ)される光信号のパターン信号の検出を常時、実施することで、光伝送ルート識別装置１７が波長帯域ごとの伝送ルートを継続的に監視していてもよい。
【００３８】
接続性情報記憶部５３は、接続性管理表のデータを保存している。接続性情報記憶部５３は、不揮発性の半導体記憶装置やハードディスクドライブ等の記憶装置によって形成されている。
【００３９】
伝送路１０１、伝送路１０２および伝送路１０３は、光ファイバおよび給電線によって形成された海底ケーブルや増幅器等の中継器によって構成されている。また、伝送ネットワーク２０１には、伝送路１０１、伝送路１０２および伝送路１０３によって構成される海底ケーブルシステムとは独立した通信ネットワークが用いられている。
【００４０】
本実施形態の光伝送ネットワークシステムにおいて、光伝送ルート識別装置１７が波長帯域ごとの伝送ルートを特定し、パスの設定状態を識別する際の動作について説明する。
【００４１】
波長帯Ｘの光信号が、本実施形態の光伝送ネットワークシステムで伝送される際の光信号の伝送ルートを特定し、パスの設定状態の情報を取得する場合を例に説明する。図５に示すように、本実施形態の光伝送ネットワークシステムでは、波長帯Ｘのパスとして、ルート１からルート６までの６ルートが想定される。以下の説明では、ケーブル陸揚げＡ局の光送信装置１１は、波長帯Ｘの主信号にパターン１の識別信号を付加して送信しているとする。また、ケーブル陸揚げＣ局の第１の光送受信装置１３は、波長帯Ｘの主信号にパターン２の識別信号を付加して送信しているとする。また、ケーブル陸揚げＤ局の第２の光送受信装置１４は、波長帯Ｘの主信号にパターン３の識別信号を付加して送信しているとする。図６は、波長帯Ｘにこのような識別信号が付加されているときの、波長帯Ｘの接続性管理表の例を示したものである。
【００４２】
各ケーブル陸揚げ局の光伝送装置のパターン検出部は、波長帯Ｘの主信号に識別情報として付加されている識別信号のパターンを検出する。各ケーブル陸揚げ局は、パターン検出部において識別信号のパターンを検出すると検出したパターンの情報を、伝送ネットワーク２０１を介して光伝送ルート識別装置１７にそれぞれ送る。
【００４３】
光伝送ルート識別装置１７のルート識別部５２は、各ケーブル陸揚げ局から主信号の送信元を示す識別情報を受け取ると、波長帯Ｘの送信元を示す識別信号の各ケーブル陸揚げ局における受信状況と、接続性情報記憶部５３の接続性管理表を比較する。
【００４４】
例えば、ケーブル陸揚げＢ局でパターン１を受信し、ケーブル陸揚げＣ局およびケーブル陸揚げＤ局において、波長帯Ｘの送信元を示す識別信号を受信していないとき、受け取った識別情報の組み合わせは、図６のルート１に当てはまる。このように、受け取った識別情報が図６のルート１の組み合わせに当てはまるとき、ルート識別部５２は、波長帯Ｘの光信号の伝送ルートがルート１であると判断する。
【００４５】
また、例えば、ケーブル陸揚げＢ局でパターン２を受信し、ケーブル陸揚げＣ局およびケーブル陸揚げＤ局において、波長帯Ｘの送信元を示す識別信号を受信していないとき、受け取った識別情報の組み合わせは、図６のルート４に当てはまる。このように、受け取った識別情報が図６のルート４の組み合わせに当てはまるとき、ルート識別部５２は、波長帯Ｘの光信号の伝送ルートがルート４であると判断する。
【００４６】
また、さらに波長帯Ｚの光信号が、本実施形態の光伝送ネットワークシステムで伝送されている場合を例に説明する。波長帯Ｚについて、ケーブル陸揚げＡ局の光送信装置１１は、主信号にパターンａの識別信号を付加して送信しているとする。また、ケーブル陸揚げＣ局の第１の光送受信装置１３は、波長帯Ｚの主信号にパターンｃの識別信号を付加して送信しているとする。また、ケーブル陸揚げＤ局の第２の光送受信装置１４は、波長帯Ｚの主信号にパターンｄの識別信号を付加して送信しているとする。図７は、波長帯Ｚにこのような識別信号が付加されているときの、波長帯Ｚの接続性管理表の例を示したものである。
【００４７】
例えば、ケーブル陸揚げＢ局およびケーブル陸揚げＢ局で、波長帯Ｚの識別信号を受信できずに、ケーブル陸揚げＤ局でパターンａの識別信号を受信した場合、受け取った識別情報の組み合わせは、図７のルート３に当てはまる。受け取った識別情報の組み合わせが図７のルート３に当てはまるとき、ルート識別部５２は、波長帯Ｚのパスがルート３であると判断する。
【００４８】
光伝送ルート識別装置１７は、各波長帯の光信号のパスの設定状態を識別すると各波長帯のパスの設定状態の情報を通信管理装置やディスプレイ装置に出力する。このようにＯＡＤＭ機能によりパスを構成している波長帯域および送信元ごとに異なるパターンの識別信号を識別情報として設定し、受信した識別情報の組み合わせと接続性管理表を比較することで、波長帯域ごとのパスの設定情報を取得することができる。
【００４９】
ＲＯＡＤＭシステムにおける光分岐挿入装置として用いられるＲＯＡＤＭ装置は、波長多重化された光信号から任意の波長の光信号を取り出し、また、逆に任意の波長の光を混ぜることができる。そのため、ＲＯＡＤＭ装置は、高速の伝送速度を保ったまま柔軟なパス管理が可能となる。このようにＲＯＡＤＭ装置では、パケット単位で信号を出し入れするのではなく、伝送装置間で光信号を使ってデータを転送するパスを設定する。このパスの設定は、各ＲＯＡＤＭ装置に対して命令を発行することにより、波長に割り当てたパスをリモートから任意に変更することができる。
【００５０】
一方、リモートからのコマンド送信によりパスの変更を実施していることから、何らかの理由でコマンドが正常にＲＯＡＤＭ装置に届かなかった場合や、ＲＯＡＤＭ装置が正常に動作しなかった場合等、パスが正しく切り替わらないことが発生する。この場合、光信号が本来の送信先装置ではない装置に転送されうる。その結果、光信号に含まれる情報の秘匿性が確保できなくなり、セキュリティ上の問題が発生する恐れがある。
【００５１】
特に、複数のＲＯＡＤＭ装置を経由したパスが正しく接続されなかった場合、光信号が本来の送信先装置ではない装置に転送されることに加え、現在のパスの設定状況が不明となり、実際にどのようなパスが構成されているのが判断できない状況に成りうる。海底ケーブルシステムに使用される海底ＲＯＡＤＭシステムにおいては、光信号のパスを制御するＲＯＡＤＭ装置自体も海底に設置される。海底ケーブルは８０００メートルの深海底に設置されることもある。そのようなメンテナンスの難しい海底に設置されるＲＯＡＤＭシステムの各機器は、故障の可能性を低減させるためにも、よりシンプルな回路構成の機器とすることが有利である。
【００５２】
本実施形態の光伝送ネットワークシステムでは、各ケーブル陸揚げ局の光伝送装置は、受信信号から受信した識別情報を、伝送ネットワーク２０１を介して送信すればよいため、パスの情報を取得するための装置構成の複雑化を抑えることができる。そのため、光伝送ネットワークシステムは、高い信頼性を維持することができる。また、識別情報は、陸上に設置されるケーブル陸揚げ局から通信回線を介して取得すればよいので、パスの情報を取得する対象となる海底ケーブルシステム以外の通信ネットワークシステムを介して取得することができる。そのため、光伝送ネットワークシステムでは、パス監視のために複雑な回路を付加することなく、外部よりパスの設定状態の情報を確実に把握することができる。
【００５３】
本実施形態の光伝送ネットワークシステムは、光伝送ルート識別装置１７において、各陸揚げ局で受信した光信号の送信元を示す識別情報と、接続性管理表を基に、光信号の伝送ルートを特定している。よって、本実施形態の光伝送ネットワークシステムは、光伝送装置間で複数のＯＡＤＭ装置を通過したような場合にも、光信号の伝送ルートを特定することができる。その結果、本実施形態の光伝送ネットワークシステムは、パスの設定状態の正確な情報を取得することができる。
【００５４】
第２の実施形態では、光伝送ネットワークシステムを海底ケーブルシステムに用いた場合の例を示したが、第２の実施形態の光伝送ネットワークシステムは、海底ケーブルシステム以外の通信ネットワークシステムに用いてもよい。また、第２の実施形態の光伝送ネットワークシステムは、光送信装置１１から光受信装置１２の１方向にのみ波長多重信号を送信しているが、双方向の通信を行える構成であってもよい。そのような構成とする場合には、第１の光送受信装置１３と同等の構成の光伝送装置が光送信装置１１および光受信装置１２に代えて用いられる。また、第２の実施形態の光伝送ネットワークシステムは、２台のＯＡＤＭ装置を備えているが、ＯＡＤＭ装置は、３台以上であってもよい。
【符号の説明】
【００５５】
１    受信手段
２    識別情報検出手段
３    出力手段
１１    光送信装置
１２    光受信装置
１３    第１の光送受信装置
１４    第２の光送受信装置
１５    第１のＯＡＤＭ装置
１６    第２のＯＡＤＭ装置
１７    光伝送ルート識別装置
２１    光信号送信部
２２    パターン生成部
３１    光信号受信部
３２    パターン検出部
４１    光信号送受信部
４２    パターン生成部
４３    パターン検出部
５１    通信部
５２    ルート識別部
５３    接続性情報記憶部
１０１    伝送路
１０２    伝送路
１０３    伝送路
２０１    伝送ネットワーク
【図１】
2019004336.tif 000003
【図２】
2019004336.tif 000004
【図３】
2019004336.tif 000005
【図４】
2019004336.tif 000006
【図５】
2019004336.tif 000007
【図６】
2019004336.tif 000008
【図７】
2019004336.tif 000009